(57)【要約】  【課題】身障者、老人等の被介護者等のための入浴設備において、極めて簡単な構成によって、浴槽への出入り動作を楽に行えるようにする簡易入浴装置を提供すること。【解決手段】座席部４が形成された浴槽本体部Ａ１と、浴槽開閉部Ａ２とからなる浴槽体Ａを備えた簡易入浴機において、前記浴槽本体部Ａ１の前記浴槽開閉部Ａ２に対向する本体接合面部１０は、幅方向両側部分で、下端側が上端側よりも正面側に突出するようにして急傾斜させること。前記座席部４の座面４ａの先端部４ａ１の位置は前記浴槽本体部Ａ１から突出し且つ前記浴槽本体部Ａ１の下端部の位置と略同一としてなること。【選択図】図１
2007135938.tif 000002
【特許請求の範囲】
【請求項１】
座席部が形成された浴槽本体部と、浴槽開閉部とからなる浴槽体を備えた簡易入浴機において、前記浴槽本体部の前記浴槽開閉部に対向する本体接合面部は、幅方向両側部分で、下端側が上端側よりも正面側に突出するようにして急傾斜させると共に、前記座席部の座面の先端部の位置は前記浴槽本体部から突出し且つ前記浴槽本体部の下端部の位置と略同一としてなることを特徴とする簡易入浴装置。
【請求項２】
請求項１において、前記座面の下方位置で且つ浴槽本体部の内方に食い込むようにして窪み部が形成されると共に該窪み部の底面部位は、略平坦状に形成されてなることを特徴とする簡易入浴装置。
【請求項３】
請求項１又は２において、前記座面の下面側は、前記座面部の先端より前記浴槽本体部の底部且つ内方に向って傾斜面として形成されてなることを特徴とする簡易入浴装置。
【請求項４】
請求項１，２又は３のいずれか１項の記載において、前記浴槽開閉部には、前記座面と対応する位置及びその周囲に前記浴槽開閉部の内方に食い込むようにして正面側空隙部が形成されてなることを特徴とする簡易入浴装置。
【請求項５】
請求項４において、前記正面側空隙部の上方には、空隙内膨出部が形成されてなることを特徴とする簡易入浴装置。
【発明の詳細な説明】
【技術分野】
【０００１】
本発明は、身体障害者及び被介護者等のための簡易入浴装置に関する。
【背景技術】
【０００２】
従来、身障者、老人等の被介護者のための介護専用の入浴設備として、種々の簡易浴槽が存在している。この種の浴槽の主なものとして、特許文献１，２に開示されているように、身障者、被介護者等の入浴者が槽内に入りやすくするために、浴槽に横扉を設けて、出入りができるようにしたものが存在している。その扉は、大きなものが使用され、浴槽への出入り口も比較的広くなるように形成されている。
【特許文献１】特開平１０−８０４５６号
【特許文献２】特開２００３−１５３９７４
【発明の開示】
【発明が解決しようとする課題】
【０００３】
特許文献１及び２は、浴槽本体の上部開口部を有し、前方正面に開閉自在の密閉扉を設け、浴槽内部に椅子を設置した構造の入浴装置であって、特許文献１，２のいずれも浴槽内部の壁部側（密閉扉よりも奥側に位置する場所）に椅子又は座席部が位置している。そのために、入浴者が座席部に着座しようとする場合、密閉扉を開け、その座席部までにたどり着いて、座席に腰を下ろすまでの距離は、身障者や被介護者には、極めて遠いものである。さらに浴槽内は狭いため、着座するのに時間と労力を要す。
【０００４】
特に、歩行が困難な人の場合は、浴槽（簡易浴槽）内は人間一人分がやっと入室できる程度の幅であり、付添え人（介護者）も補助がしにくい。このように、身障者や被介護者が浴槽に入ることは、極めて大変な動作となる。本発明が解決しようとする課題（技術的課題又は目的）は、身障者、老人等の被介護者のための介護専用入浴設備において、極めて簡単な構成によって、浴槽への出入り動作を楽に行えるようにすることを実現することである。
【課題を解決するための手段】
【０００５】
請求項１の発明は、座席部が形成された浴槽本体部と，該浴槽本体部に開閉自在とした浴槽開閉部とからなる浴槽体を備えた簡易入浴機において、前記浴槽本体部の前記浴槽開閉部に対向する本体接合面部は、幅方向両側部分で、下端側が上端側よりも正面側に突出するようにして急傾斜させると共に、前記座席部の座面の先端部の位置は前記浴槽本体部から突出し且つ前記浴槽本体部の下端部の位置と略同一としてなる簡易入浴装置としたことにより、上記課題を解決した。
【０００６】
次に、請求項２の発明は、前述の構成において、前記座面の下方位置で且つ浴槽本体部の内方に食い込むようにして窪み部が形成されると共に該窪み部の底面部位は、略平坦状に形成されてなる簡易入浴装置としたことにより、上記課題を解決した。次に、請求項３の発明は、前述の構成において、前記座面の下面側は、前記座面部の先端より前記浴槽本体部の底部且つ内方に向って傾斜面として形成されてなる簡易入浴装置としたことにより、上記課題を解決した。
【０００７】
請求項４の発明は、前述の構成において、前記浴槽開閉部には、前記座面と対応する位置及びその周囲に前記浴槽開閉部の内方に食い込むようにして正面側空隙部が形成されてなる簡易入浴装置としたことにより、上記課題を解決した。また、請求項５の発明は、前述の構成において、前記正面側空隙部の上方には、空隙内膨出部が形成されてなる簡易入浴装置としたことにより、上記課題を解決したものである。
【発明の効果】
【０００８】
請求項１の発明によって、簡易入浴装置の本体部から座椅子のシート部が突出されており（シート突出部）、入浴者は、このシート突出部に腰を掛け、次いで、その腰を背もたれ部までずらし、正規な入浴姿勢とすることができる。そのため、特に、歩行が困難であったり、足の不自由な人にとっては、浴槽内を出入りするための労力を極めて少なくして、容易にシート部に着席することができる。また、シート部を浴槽本体部から前方へ突出させることで、シート部の着座面積が広くなり、入浴者にとって座りやすく、また無理のない姿勢で着座することができるという利点もある。
【０００９】
次に、請求項４の発明は、前記座面部の下方位置で且つ浴槽本体部の内方に食い込むようにして、窪み部を設けたことで、入浴者が着座後に浴槽開閉部が閉められた後、入浴者の足置き場は座席部の下方に形成された窪み部に足を納めることができる。よって、限られたスペース内で、足置き場のスペースを確保することができ、入浴者には足の置く場所に不自由さを感じさせることなく、ゆったりとした姿勢で入浴することができる。
【００１０】
次に、請求項５の発明は、前記座面部の下面側は、前記座面部の先端より前記浴槽本体部の底部且つ内方に向って傾斜面として形成されることにより、座面部の力学的強度を大きくし、耐久性のあるものにできる。次に、請求項６の発明は、浴槽開閉部には、前記座面部と対応する位置及びその周囲に前記浴槽開閉部の内方に食い込むようにして正面側空隙部が形成されることにより、前記浴槽内部はその正面側空隙部の部分だけ容積が広くなり、限られた大きさの浴槽内部を十分に広くすることができる。
【００１１】
請求項７の発明は、浴槽内部のスペースは、前記正面側空隙部と空隙内膨出部によって凹凸のある空間を構成し、その空隙内膨出部が上部側に形成されていることによって、浴槽内部の形状は入浴者が座った姿勢に略対応した形状とすることができる。そのため、浴槽内は、省スペース構造とすることができ、湯の量も低減且つ節約でき、また、簡易入浴装置全体もコンパクト形状となり、ひいては本装置の設置スぺースも小さくすることができる。
【００１２】
さらに、入浴者は、その空隙内膨出部によって、浴槽の底部分が隠されることになり、しかもその空隙内膨出部が入浴者側に近接することになるために、入浴者は安心感を持って入浴することができるものである。さらに、前記空隙内膨出部によって、浴槽開閉部内に十分なスペースを確保することができるため、これを利用してさらにバブル噴射口等を装着することができ、入浴者に心地よい入浴を行わせることができる。
【発明を実施するための最良の形態】
【００１３】
以下、本発明の実施形態を図面に基づいて説明する。本発明の構成は、主に浴槽本体部Ａ1と浴槽開閉部Ａ２とから構成され、その浴槽本体部Ａ1と浴槽開閉部Ａ２とで浴槽体Ａが構成される（図１，図２参照）。その浴槽本体部Ａ1には、浴槽空隙部１が形成されている。該浴槽空隙部１は、浴槽開閉部Ａ２と共に浴槽内部を構成する。
【００１４】
前記浴槽本体部Ａ1の形状は、図１（Ａ），図７等に示すように、略立方体又は略直方体等で且つ開口が形成されて略半開き又は半割り形状としたものであり、カプセル或は繭形等の筐体形状に形成されたものである。前記半開き部分を構成する開口部は、隣接する２面が連続する状態に形成されたものである。その２つの開口は、前記筐体状の浴槽本体部Ａ１の正面及び上面に位置して、前記浴槽空隙部１と連通している。
【００１５】
そして、前記浴槽本体部Ａ１の上方に位置する開口部が上面開口部２となり、正面側に位置する開口部が出入り口部３となる。前記上面開口部２は、浴槽体Ａに注いだ湯面に位置する開口となり、前記出入り口部３は、入浴者が浴槽体Ａの浴槽空隙部１内に出入りするための開口となり、前記浴槽開閉部Ａ２を浴槽本体部Ａ１に閉じることで浴槽空隙部１によって水密性を有して開閉される部位である。
【００１６】
その浴槽本体部Ａ１と浴槽開閉部Ａ２とは、合成樹脂で形成されており、それぞれが成形型によって一体成形品として形成される。その浴槽本体部Ａ１と浴槽開閉部Ａ２とが開閉する構成となっており、その開閉構造は、前記浴槽本体部Ａ１に前記浴槽開閉部Ａ２が枢支連結されて、スイングする扉状構造としたものと、前記浴槽本体部Ａ１に前記浴槽開閉部Ａ２とが完全に分離する構造としたものが存在する。
【００１７】
前記浴槽開閉部Ａ２を扉状構造としたものでは、図1（Ａ）に示すように、前記浴槽本体部Ａ１の出入り口部３に対して、前記浴槽開閉部Ａ２は、蝶番により枢支連結されて、該浴槽開閉部Ａ２が水平方向に開閉自在とし、クリップ金具等にて両者がロック状態に接合されるものである。また、前記浴槽本体部Ａ１に前記浴槽開閉部Ａ２とが完全に分離する構造としたものは、図1（Ｂ）に示すように、前記扉構造としたものと同様に、クリップ金具が使用されるものであるが、このクリップ金具と共に前記浴槽本体部Ａ１に前記浴槽開閉部Ａ２との相互の位置決め用にタボとタボ孔が具備されることもある。
【００１８】
前記浴槽本体部Ａ１の内部には座席部４が形成されている〔図１（Ａ）参照〕。該座席部４は、図１，図２等に示すように、前記浴槽本体部Ａ１の高さ方向においてその中央より下方に位置して形成され、且つ前記浴槽本体部Ａ１に一体成形されたものである。前記座席部４は、座面４ａと背もたれ面４ｂとから構成されたものである。
【００１９】
具体的には、前記背もたれ面４ｂは前記浴槽本体部Ａ１の内壁面から前方に膨出するようにして形成され、その背もたれ面４ｂの頂部が浴槽本体部Ａ１の幅方向両側壁に連続して腕置き部としての役目をなしている。その浴槽本体部Ａ１の内部には、バブル噴射口５が具備されている（図１，図２参照）。該バブル噴射口５は、多数の気泡を湯の中に噴出し、入浴者の汚れを落としたり、又は体を適当に刺激して入浴を心地良いものとしている。
【００２０】
その浴槽本体部Ａ１と浴槽開閉部Ａ２の接合する部分において、前記浴槽本体部Ａ１側の接合面を本体接合面部１０と称する。また、前記浴槽開閉部Ａ２側では、その接合面を開閉接合面部１３と称する。その本体接合面部１０には、エプロン１１が形成されており、さらにパッキン材１２が前記本体接合面部１０の形状に沿って貼着されている。前記パッキン材１２は、密封性のあるゴム材又は合成樹脂が使用される。前記浴槽本体部Ａ１の本体接合面部１０は、その下端位置が上端よりも浴槽本体部Ａ１の前方側に突出するようにして傾斜面となっている（図２，図３参照）。  
【００２１】
さらに、前記浴槽本体部Ａ１の前記浴槽開閉部Ａ２に対向する接合面（本体接合面部１０）は、幅方向両側部分で、下端側が上端側よりも正面に突出して傾斜する。これに対して浴槽開閉部Ａ２では、幅方向両側部分で、上端側が下端側よりも突出するようにして傾斜する。その傾斜は、傾き方向が異なるのみで角度は同一である（図２参照）。
【００２２】
前記座席部４の座面４ａの先端部４ａ１の位置は、図１，図２に示すように、前記浴槽本体部Ａ１から突出し且つ前記浴槽本体部Ａ１の下端部の位置が略同一となるように形成されている。具体的には、前記座面４ａの先端部４ａ１箇所が本体接合面部１０の幅方向両側の傾斜接合面１０ａよりも外方に突出し、且つその先端部４ａ１位置が浴槽本体部Ａ１の下端に位置する底部先端に略同一となるように形成される。また前記座面４ａの先端部４ａ１が前記浴槽本体部Ａ１の下端に位置する底部先端よりも外方に突出するように形成されることもある。
【００２３】
その座面４ａの下方位置では、浴槽本体部Ａ１の内方に向って食い込むようにして窪み部６が形成されている。該窪み部６の底面位置、すなわち浴槽本体部Ａ１の床面は略平坦状に形成されている。前記窪み部６を設けたことで、入浴者が座席部４に着座して、浴槽開閉部Ａ２が閉められた後、座面４ａの下方に形成された窪み部６が、入浴者の足置き場となり、限られたスペース内で、足置き場を確保することができる。
【００２４】
そして、入浴者には、足の置く場所に不自由さを感じさせないようにすることができ、ひいては、ゆったりとした姿勢で入浴することができる。前記座面４ａの下面側は、前記座面４ａの先端部４ａ１より前記浴槽本体部Ａ１の底部且つ内方に向って傾斜面となるように形成されている、このような形状とすることで座面４ａの力学的強度を大きくし、耐久性のあるものにできる。
【００２５】
次に、浴槽開閉部Ａ２は、前記浴槽本体部Ａ１の出入り口部３に対して扉としての役目をなすと共に、前記出入り口部３を閉じた状態で、前記浴槽本体部Ａ1と浴槽開閉部Ａ２とによって、前記浴槽体Ａを構成することになる。前記浴槽開閉部Ａ２は、前記座面４ａと対応する位置及びその周囲に前記浴槽開閉部Ａ２の内方に食い込むようにして正面側空隙部９が形成されている。
【００２６】
該正面側空隙部９は、前記浴槽本体部Ａ１に浴槽開閉部Ａ２を閉じた状態で、該浴槽開閉部Ａ２が前記座席部４の座面４ａと対応する位置及びその周囲に内方に食い込むようにして形成されたものである。これによって、浴槽体Ａ内に大きな入浴スペースを確保することができる。
【００２７】
さらに、前記正面側空隙部９は、その上方には、空隙内膨出部９ａが形成される（図１，図２参照）。該空隙内膨出部９ａは、浴槽体Ａ内の入浴スペースの形状を入浴者が座った姿勢に対応した形状にするものである。このため、浴槽体Ａ内は、さらに省スペース構造とすることができ、湯の量も低減且つ節約でき、浴槽体Ａ全体もコンパクト形状となり、ひいては本装置の設置スぺースも小さくすることができる。
【００２８】
本発明において、入浴者が着座する動作について説明する。まず入浴者は、図４（Ａ）に示すように、浴槽本体部Ａ１の正面側に位置し、該浴槽本体部Ａ１の座席部４に背中を向けて起立する。入浴者の足元は、浴槽本体部Ａ１の床先端箇所に近接した状態である。入浴者は、前記座席部４の先端部４ａ１付近を目指して腰を降ろす。次いで、図４（Ｂ）に示すように、その腰を背もたれ面４ｂの位置までずらすようにして移動する。これによって正規な入浴姿勢とすることができる。前記座席部４は、背もたれ面４ｂから先端部４ａ１にかけてやや上方側に傾斜させている。
【００２９】
これによって座席部４の背もたれ面４ｂに向けて腰の移動を行いやすくしている。つまりは、入浴者が座席部４の先端部４ａ１に掛けた腰を背もたれ面４ｂまでずらし（移動）やすくしている。このような構造によって、簡易入浴装置に着座する労力が少なく、特に、歩行が困難な人（杖等を使って歩行が可能な人）でも前記座席部４の先端部４ａ１付近に腰を降ろせば、スムーズに正規な入浴姿勢をとることができ、一人でも着座することができる。
【００３０】
また、足が不自由で、介護する付添え人が必要な入浴者の場合でも、付添え人は、入浴者をシート突出部に腰を掛けるまでの補助と、腰を背もたれ部まで移動する（ずらす）までの補助だけで済み、入浴者ならびに付添え人の労力も低減できる。また座席部４は、樹脂で形成されることにより、滑りやすく、腰をずらすことが容易である。また、前記座席部４を浴槽本体部Ａ１から突出させることで、座席部４の着座面が広くなり、入浴者にとって座りやすく、また無理のない姿勢で着座することができる。
【００３１】
浴槽開閉部Ａ２の正面側空隙部９は、前記窪み部６と共に、足置部と広いスペースを構成することができ、足の置く場所に不自由さはなく、ゆったりとした姿勢で入浴することができる。また、前述したとおり、正面側空隙部９に空隙内膨出部９ａが形成されることで、浴槽体Ａ内のスペース形状は、略人が座った姿勢にあわせた開口スペースとなっており、浴槽の省スペース化を実現し、浴槽体Ａ内の湯量も低減且つ節約でき、簡易入浴装置自体もコンパクトとなり、本装置の設置スペースも小さくすることができる。
【図面の簡単な説明】
【００３２】
【図１】（Ａ）は浴槽開閉部が浴槽本体部から開いた状態の本発明の斜視図、（Ｂ）は浴槽本体部と浴槽開閉部とを分離タイプとした側面図である。
【図２】本発明の縦断側面図である。
【図３】別の形状の座席部を備えた本発明の要部縦断側面図である。
【図４】（Ａ）は入浴者が浴槽に腰掛けようとする状態図、（Ｂ）は腰掛けた状態図である。
【図５】入浴者の腰掛が完了した状態図である。
【図６】入浴者が入浴している状態図である。
【符号の説明】
【００３３】
Ａ…浴槽体、Ａ１…浴槽本体部、Ａ２…浴槽開閉部、４…座席部、  ４ａ…座面、
４ａ１…先端部、６…窪み部、９…正面側空隙部、９ａ…空隙内膨出部。
【図１】
2007135938.tif 000003
【図２】
2007135938.tif 000004
【図３】
2007135938.tif 000005
【図４】
2007135938.tif 000006
【図５】
2007135938.tif 000007
【図６】
2007135938.tif 000008
【手続補正書】
【提出日】平成17年12月21日(2005.12.21)
【手続補正１】
【補正対象書類名】明細書
【補正対象項目名】０００９
【補正方法】変更
【補正の内容】
【０００９】
次に、請求項２の発明は、前記座面部の下方位置で且つ浴槽本体部の内方に食い込むようにして、窪み部を設けたことで、入浴者が着座後に浴槽開閉部が閉められた後、入浴者の足置き場は座席部の下方に形成された窪み部に足を納めることができる。よって、限られたスペース内で、足置き場のスペースを確保することができ、入浴者には足の置く場所に不自由さを感じさせることなく、ゆったりとした姿勢で入浴することができる。
【手続補正２】
【補正対象書類名】明細書
【補正対象項目名】００１０
【補正方法】変更
【補正の内容】
【００１０】
次に、請求項３の発明は、前記座面部の下面側は、前記座面部の先端より前記浴槽本体部の底部且つ内方に向って傾斜面として形成されることにより、座面部の力学的強度を大きくし、耐久性のあるものにできる。次に、請求項４の発明は、浴槽開閉部には、前記座面部と対応する位置及びその周囲に前記浴槽開閉部の内方に食い込むようにして正面側空隙部が形成されることにより、前記浴槽内部はその正面側空隙部の部分だけ容積が広くなり、限られた大きさの浴槽内部を十分に広くすることができる。
【手続補正３】
【補正対象書類名】明細書
【補正対象項目名】００１１
【補正方法】変更
【補正の内容】
【００１１】
請求項５の発明は、浴槽内部のスペースは、前記正面側空隙部と空隙内膨出部によって凹凸のある空間を構成し、その空隙内膨出部が上部側に形成されていることによって、浴槽内部の形状は入浴者が座った姿勢に略対応した形状とすることができる。そのため、浴槽内は、省スペース構造とすることができ、湯の量も低減且つ節約でき、また、簡易入浴装置全体もコンパクト形状となり、ひいては本装置の設置スぺースも小さくすることができる。